(57)【要約】【課題】重い商品も陳列可能なサイドネットをショーケース本体の側面に備えたショーケースを提供する。【解決手段】ショーケース本体１の天板１３と、側板を支持する支持枠１７とにそれぞれ係合することにより、サイドネット４をショーケース本体４の側面に取り付ける。このサイドネット４は、設置面から上下方向に延びる一対の支持脚４６を有し、この支持脚４６が下端を着脱自在な台座４７に取り付けられている。これにより、サイドネット４が安定した状態でショーケース本体１の側面に設置される。このようにしてサイドネット４を設置した後、サイドネット４の上部のネット本体４１に商品等をフックで掛止して陳列する。【選択図】  図１
2004290253.tif 000002
【特許請求の範囲】
【請求項１】
天板とともにショーケース本体上部の商品収納庫を形成する側板を備えるとともに、ショーケース本体の外面に商品等を掛止して展示するサイドネットを備えたショーケースにおいて、
前記サイドネットは、その上部に天板と側板との間に差し込み可能な爪部を有し、下部には設置面に接してサイドネットを支持する台座を有し、爪部と台座との間には側板と側板を支える支持枠との間に嵌脱可能な支持部を有する
ことを特徴とするショーケース。
【請求項２】
前記サイドネットは少なくとも側板と所定の間隔をあけて設けた
ことを特徴とする請求項１記載のショーケース。
【請求項３】
前記サイドネットは上下方向に伸縮自在に設けた
ことを特徴とする請求項１又は２記載の記載のショーケース。
【請求項４】
前記サイドネットの支持部の上端の少なくとも一部を側板に向かって下方向に傾斜させるとともに、
傾斜部分に少なくとも１カ所の水抜き孔を設けた
ことを特徴とする請求項１、２又は３記載のショーケース。
【請求項５】
前記台座はサイドネットの下端に拡張して形成されるとともに、サイドネットへの取付向きを切り換え自在に設けた
ことを特徴とする請求項１、２、３又は４記載のショーケース。
【発明の詳細な説明】
【０００１】
【発明の属する技術分野】本発明は店舗内に設置され冷蔵商品などを販売するショーケースに関するものである。
【０００２】
【従来の技術】
従来、ショーケースの側面に商品等の陳列が可能なネット等を設置したものとして、上面が開口されたショーケースが知られている。このショーケースにおいては、開口縁のハンドレール部に形成された凹陥孔に、係合部を介して網状のパネルが着脱自在に取り付けられている（特許文献１参照）。
【０００３】
【特許文献１】
特開平９−１５２２５７号公報
【０００４】
【発明が解決しようとする課題】
しかしながら、上記のショーケースにおいては、平型オープンショーケースの上端の開口縁に網状のパネルを係合する構成となっているため、オープンショーケースにしか用いることができず、４面ガラス構造のショーケースに用いることはできなかった。そこで、４面ガラス構造のショーケースにサイドネットを設置するのに従来採られていた方法は、サイドネットの上端をショーケースの天板に両面テープで固定するものであった。そのため、サイドネットをショーケース本体にしっかりと固定することができず、重い商品を陳列することができなかったり、サイドネットが側板に接触して側板の結露で商品が濡れてしまう等の問題があった。
【０００５】
本発明は、上記事情に鑑みてなされたものであり、その目的とするところは、重い商品も陳列可能なサイドネットをショーケース本体の側面に備えたショーケースを提供することにある。
【０００６】
【課題を解決するための手段】
上記目的を達成するために、請求項１では、天板とともにショーケース本体上部の商品収納庫を形成する側板を備えるとともに、ショーケース本体の外面に商品等を掛止して展示するサイドネットを備えたショーケースにおいて、前記サイドネットは、その上部に天板と側板との間に差し込み可能な爪部を有し、下部には設置面に接してサイドネットを支持する台座を有し、爪部と台座との間には側板と側板を支える支持枠との間に嵌脱可能な支持部を有している。
【０００７】
これにより、サイドネットは爪部と支持部とでショーケース本体に取り付けられ、また、台座により設置面に支持される。
【０００８】
また、請求項２では、請求項１記載のショーケースにおいて、前記サイドネットは少なくとも側板と所定の間隔をあけて設けている。
【０００９】
これにより、サイドネットとショーケース本体の側板との間に隙間が形成される。
【００１０】
また、請求項３では、請求項１又は２記載のショーケースにおいて、前記サイドネットは上下方向に伸縮自在に設けている。
【００１１】
これにより、大きさの異なるショーケースにも高さを調節してサイドネットを取り付けることができる。
【００１２】
また、請求項４では、請求項１、２又は３記載のショーケースにおいて、前記サイドネットの支持部の上端の少なくとも一部を側板に向かって下方向に傾斜させるとともに、傾斜部分に少なくとも１カ所の水抜き孔を設けている。
【００１３】
これにより、側板から流下した結露水は、傾斜を介して水抜き孔から排水される。
【００１４】
また、請求項５では、請求項１、２、３又は４記載のショーケースにおいて、前記台座はサイドネットの下端に拡張して形成されるとともに、サイドネットへの取付向きを切り換え自在に設けている。
【００１５】
これにより、台座の設置面積が大きくなりサイドネットを安定的に支持できるし、また、台座は向きを切り換え自在にしてサイドネットの下端に設置される。
【００１６】
【発明の実施の形態】
図１乃至図６は本発明に係るショーケースの一実施形態を示すもので、図１はショーケースの全体斜視図、図２はサイドネットの上部の係止状態を示す断面図、図３はサイドネット下部の設置状態を示す断面図、図４はサイドネットの斜視図、図５は支持棒の長さの変更方法を示す断面図、図６は台座の取付向きの変更方法を示す斜視図である。
【００１７】
このショーケースは、図１に示すように縦長に形成されたショーケース本体１と、ショーケース本体１の上部に形成された商品収納庫２と、ショーケース本体１の下部に形成された機械室３と、ショーケース本体１の右側側面に設置されたサイドネット４とを備えている。
【００１８】
ショーケース本体１は商品収納庫２の左右側面を覆う透明ガラス製の側板１１と、前面及び背面をそれぞれ開閉する同じく透明ガラス製の扉１２とを有している。両側板１１及び扉１２の上端には商品収納庫２の上面を覆う天板１３が取り付けられている。下端には床面に接してショーケース本体１を支持する脚１４が設けられている。
【００１９】
商品収納庫２は、底面板２１によって機械室３側と仕切られており、その内部には上下複数段の網棚２２が取り付けられている。
【００２０】
機械室３は、蒸発器、圧縮機、凝縮器及び送風機等（何れも図示しない）を収容している。即ち、これらの冷凍機器によって商品収納庫２内の空気を冷却するようになっている。
【００２１】
側板１１は、図２に示すように２層のガラスからなり、上面保持枠１５によって保持された状態で天板１３の内側に取り付けられて商品収納庫２を形成する。この上面保持枠１５は、断面コ字状に形成されており、天板１３との間に略Ｌ字状に形成された補強板１６を介して固定されている。また、天板１３の側板は上部保持枠１５よりも外側に張り出しており、上部保持枠１５と天板１３の側面内側との間には隙間が形成されている。一方、側板１１の下端には、図３に示すように、側板１１を支持する支持枠１７が設けられている。この支持枠１７は、支持枠１７と側板１１下端との間から側板１１の結露水を機械室３内に設けられた排水口１７ａに導水するようになっている。この排水口１７ａに配水管１８が接続され、配水管１８の他端は排水皿１９に導かれている。よって、側板１１の結露水は下端に形成された支持枠１７に受容され、排水口１７ａから配水管１８に入り、排水皿１９に貯められて後で処理されるようになっている。
【００２２】
サイドネット４は、図４に示すように、上面に網状に形成されたネット本体４１有し、このネット本体４１にフック等を用いて商品や表示板等が掛止可能となっている。また上端には爪部４２が付設されている。この爪部４２には、発泡ポリエチレン製のパッキン４３がシールで貼り付けられる。このパッキン４３と接合された爪部４２を、図２に示すように、天板１３と側板１１との隙間に差し込んでサイドネット４をショーケース本体１の上部に固定する。このとき、パッキン４３により爪部４２と上面保持枠１５との接触が防止される。また、サイドネット４は、側板１１の下端の支持枠１７に嵌合する支持部４４を備えている。この支持部４４は、図３に示すように、上端の一部が側板１１に向かって下方向に傾斜されて、支持枠１７と係合されている。また、この傾斜した傾斜面には、数カ所の水抜き孔４４ａが設けられ、水抜き孔４４ａから支持枠１７の上面に側板１１の結露水が導水されるようになっている。更に、サイドネット４は、図４に示すように、ネット本体４１の下端から支持部４４まで上下方向に延びる一対の支持棒４５を有している。この支持棒４５は、床面から支持部４４まで延びる一対のパイプ状の支持脚４６の内部に収納可能となっている。この支持脚４６は、上部で支持部４４の内側にネジ４４ｂで固定されている。また、支持脚４６は、支持部４４の近傍に上下方向の数カ所にネジ４６ａがネジ止めされるために螺刻されたネジ孔４６ｂが設けられている。さらに、支持部４４の上側には、支持棒４５に接触するように挿入されるネジ４６ｃがネジ止めされるためのネジ孔４６ｄが設けられている。ネジ４６ａのネジ止め位置を上下方向に調整することにより、図５示すように、支持棒４５の下端がネジ４６ａに接触すると、支持棒４５の上下動が停止されて、サイドネット４の全体の高さが変更可能となる。即ち、図５（ａ）のように、支持脚４６の上方にネジ４６ａを挿通すれば、支持棒４５は上方にあるのでサイドネット４は高く設定される。反対に、図５（ｂ）に示すように、ネジ４６ａを下方のネジ孔４６ｂに挿入して、支持棒４５を下方に移動させると、その分、支持棒４５は短くなるので、サイドネット４全体の高さも低めに設定される。このとき、ネジ４６ｃは支持棒４５と接触して、支持棒４５が支持脚４６の内部で左右に揺れ動くのが防止される。また、この支持脚４６は下端にネジ孔４６ｅが設けられ、図６に示すように、床面に設置される台座４７にネジ止めされて取り付けられる。この台座４７は、サイドネット４の幅と同じ長さの四角形状の板とその板の前側に小さい四角形状の板とを接合して構成されており、大きい方の板の両端に筒状の受部４７ａを有している。この受部４７ａを支持脚４６の下端開口に挿入し、ネジ４７ｂで連結されている。この受部４７ａには、前後にネジ孔４７ｃが穿設されて、前後どちら側からでも支持脚４６とのネジ止めが可能となっている。即ち、前側でネジ止めすれば、図６（ａ）に示すように、台座４７はショーケース本体１の外側に出張り出した状態で設置される。後側でネジ止めすれば、図６（ｂ）に示すように、ショーケース本体１と床面との間に入った状態で設置される。
【００２３】
以上のように構成されたショーケースにおいては、サイドネット４が、上端を爪部４２で天板１３に、中央部分を支持部４４及び支持脚４６で側板１１の下端の支持枠１７に係合されて、ショーケース本体１に取り付けられる。このように上端と中央部分の２カ所でショーケース本体１に取り付けられるので、サイドネット４は、側板１１から離れた状態でショーケース本体１にしっかりと固定される。また、サイドネット４の下端は、支持脚４６と台座４７とがネジ止めされて床面に設置される。したがって、重い商品をネット本体４１に掛止してもサイドネット４が重みに耐えきれなくなって落下したり、ショーケース本体１の側板１１に重力が加わって側板１１が破損することがない。
【００２４】
また、サイドネット４は、側板１１とは間隔をあけて設置されるので、側板１１の結露水がサイドネット４のネット本体４１に付着することがない。
【００２５】
また、支持脚４６における支持棒４５の設定位置を上下方向に移動させて、サイドネット４の高さを調節することができるので、大きさの異なるショーケース本体１にも取り付けることができる。
【００２６】
また、側板１１の結露水は配水管１８から排水皿１９に導かれて排水されサイドネット４の外側にあふれ出すことがないので、ネット本体４１に掛止した商品が結露するおそれがなくなる。
【００２７】
また、台座４７はサイドネット４の支持脚４６の下端に向きを自在にして取り付けることができるので、ショーケース本体１の脚１４と床面との隙間に差し込むことにより、狭いスペースにもサイドネット４を設置することができる。このとき、床面に台座４７によって段差が生じる箇所が少なくなるので、利用者の歩行の障害となるおそれもなくなる。
【００２８】
なお、台座４７はその設置面が大小の板で拡張されるため、サイドネット４を安定的に支持することができる。
【００２９】
【発明の効果】
以上詳述したように、請求項１のショーケースによれば、サイドネットは爪部と支持部とでショーケース本体に取り付けられ、台座で設置面に設置されて固定されるので、商品の数量を増やしたり、重い商品等を陳列したりして、サイドネットに陳列する商品の選択の幅を広げて利便性を高めることができる。
【００３０】
請求項２のショーケースによれば、請求項１のショーケースに加えて、サイドネットとショーケース本体の側板との間に隙間が形成されて側板の結露水がサイドネットに付着することがなくなるので、サイドネットに陳列した商品が結露するのを防止することができる。
【００３１】
請求項３のショーケースによれば、請求項１又は２のショーケースに加えて、大きさの異なるショーケースにも高さを調節してサイドネットを取り付けることができるので、汎用性を高めることができる。
【００３２】
請求項４のショーケースによれば、請求項１、２又は３のショーケースに加えて、側板から流下した結露水は、傾斜を介して水抜き孔から排水され、サイドネットにあふれ出すことがない。
【００３３】
請求項５のショーケースによれば、請求項１、２、３又は４のショーケースに加え、台座は取付向きを切り換え自在にしてサイドネットに設置されるので、狭い場所にもサイドネットを取り付けたショーケースを設置することができ、スペースを効率よく利用することができる。特に、台座をショーケース本体と床面との間に収納すれば、床面にサイドネットを固定させても段差が生じることが少なくなるので、利用者の安全な歩行が確保され、バリアフリーの向上を図ることができる。
【図面の簡単な説明】
【図１】本実施形態に係るショーケースの斜視図
【図２】サイドネットの上部の係止状態を示す断面図
【図３】サイドネットの下部の設置状態を示す断面図
【図４】サイドネットの斜視図
【図５】支持棒の長さの変更方法を示す断面図
【図６】台座の取付向きの変更方法を示す斜視図
【符号の説明】
１…ショーケース本体、１１…側板、１３…天板、１７…支持枠、２…商品収納庫、４…サイドネット、４４…支持部、４７…台座。
【図１】
2004290253.tif 000003
【図２】
2004290253.tif 000004
【図３】
2004290253.tif 000005
【図４】
2004290253.tif 000006
【図５】
2004290253.tif 000007
【図６】
2004290253.tif 000008